(57)【要約】【課題】ロール状ペーパーの装着が容易でしかも片手だけでペーパーを切断することができるようにする。【解決手段】切り取り部Ｐｂを有するロール状ペーパーＲＰを縦置き状態で回転可能に支持する支持部２０で支持されたロール状ペーパを引き出すための引き出しスペース２０ｓの一部を構成するとともに引き出しスペースから引き出されてロールの巻き方向と反対方向へ方向転換されたペーパーＰ１と当接することによりペーパーＰ１を切り取り部Ｐｂで切断する切断部２２を備え，支持部２０はロール状ペーパーの上面を完全に開放した形状とし，切断部２２は，ロール状ペーパーの上下方向における中央部分または中央部分近くで引き出しスペース２０ｓを狭めるようにスペース２０ｓに向けて突出していてペーパーＰ１の切り取り部Ｐｂでの切断開始部Ｐｂｃを形成する突出部２２を有している。【選択図】図６
2011050556.tif 000002
【特許請求の範囲】
【請求項１】
切り取り部を有するロール状ペーパーを縦置き状態で回転可能に支持する支持部と，この支持部で支持されたロール状ペーパを引き出すための引き出しスペースと，この引き出しスペースの一部を構成するとともに引き出しスペースから引き出されてロールの巻き方向と反対方向へ方向転換されたペーパーと当接することによりペーパーを前記切り取り部で切断する切断部とを備えたペーパーホルダーであって，
前記支持部は，該支持部で支持されたロール状ペーパーの上面を完全に開放した形状とし，
前記切断部は，前記支持部で支持されたロール状ペーパーの上下方向における中央部分または中央部分近くで前記引き出しスペースを狭めるように該スペースに向けて突出していて前記ペーパーの切り取り部での切断開始部を形成する突出部を有していることを特徴とするペーパーホルダー。
【請求項２】
前記切断部を左右一対設けるとともに，前記支持部の左右両側には，ラップを縦置き状態で支持することのできるラップ支持部を一体的に設け，それらラップ支持部の背面にラップ支持部を前記ロール状ペーパーの支持部とともに固定構造体へ取り付ける取付手段を設けたことを特徴とする請求項１記載のペーパーホルダー。
【請求項３】
前記突出部の先端部分にのみ，ペーパーに対する摩擦係数の高い高摩擦部材を設けたことを特徴とする請求項１または２記載のペーパーホルダー。
【発明の詳細な説明】
【技術分野】
【０００１】
本発明は，ミシン目等の直線状の切り取り部を有するロール状ペーパーを保持するペーパーホルダーに関する。主として，ペーパーをミシン目等の切り取り部から片手で切り取ることができるペーパーホルダーに関するものである。
【背景技術】
【０００２】
従来のペーパーホルダーとして，例えば特許文献１に見られるようなペーパーホルダーが知られている。同文献の符号を借りて説明すると，このペーパーホルダーは，直線状の切り取り部（ｍ）を有するロール状ペーパー（ｔ）を縦置き状態で回転可能に支持する支持部（１，２，３，５等）と，この支持部で支持されたロール状ペーパ（ｔ）を引き出すための引き出しスペース（ロッド２，２間のスペース）と，この引き出しスペースの一部を構成するとともに引き出しスペースから引き出されてロールの巻き方向と反対方向へ方向転換されたペーパーと当接することによりペーパーを前記切り取り部（ｍ）で切断する切断部（ロッド）２とを備えている。
【０００３】
この特許文献１記載のペーパーホルダーでは，同文献第３図に示すロール状ペーパー（ｔ）を縦置き状態で回転可能に支持する支持部（１，２，３，５等）における，ロール状ペーパー（ｔ）の上面がエンドプレート（１）で塞がれている構造であるので，支持部へのロール状ペーパー（ｔ）の装着が煩雑である。同文献第４図および第５図に記載されているペーパーホルダーはロール状ペーパー（ｔ）の上面が開放されているから，支持部へのロール状ペーパー（ｔ）の装着は容易である。しかし，このものは，同文献における「考案が解決しようとする課題」の欄に記載されているように，切裂きガイドロッドｒは，その下端部を水平円板ｄの縁部に設けた穴に遊嵌されているにすぎない構造であって、不安定であることから、ペーパータオルｔを、確実にして容易に、かつ円滑に切断するためには、一方の手でペーパータオルｔの先端部を把持する一方、他方の手で、ペーパータオルｔの残部を保持することが必要になるという煩わしさがある。
【０００４】
同文献第３図のペーパーホルダーは片手を使用するだけで、ペーパータオルを円滑かつ容易に切断できるようにすることを目的の一つとしてなされたものである。
しかし，切断部は単なるロッド（２）で構成されているに過ぎないため，やはり依然として，片手だけでペーパーを切断することは困難である。
【０００５】
また，従来のペーパーホルダーとして，例えば特許文献２に見られるようなペーパーホルダーが知られている。同文献の符号を借りて説明すると，このペーパーホルダーは，直線状の切り取り部を有するロール状ペーパーを縦置き状態で回転可能に支持する支持部（６，７，１５等）と，この支持部で支持されたロール状ペーパを引き出すためのスリット（２）と，このスリット（２）の一部を構成するとともにスリット（２）から引き出されたペーパーを切断する，スリット（２）の縁部からなる切断部とを備えている。
【０００６】
この特許文献２のペーパーホルダーは，ロール状ペーパーがケース本体（１）で覆われる構造であるから，支持部へのロール状ペーパーの装着が煩雑である。
また，ペーパーをスリット（２）から引き出した後，操作部（９）を押圧して押圧片（１０）でロール状ペーパーの回動を規制して，スリット（２）の縁部でペーパーを切断する構成であるから，片手だけでペーパーを切断することはできない。
【先行技術文献】
【特許文献】
【０００７】
【特許文献１】実公平７−７８３８号公報
【特許文献２】実公平３−３００７７号公報
【発明の概要】
【発明が解決しようとする課題】
【０００８】
本発明が解決しようとする課題は，ロール状ペーパーの装着が容易でしかも片手だけでペーパーを切断することができるペーパーホルダーを提供することである。
【課題を解決するための手段】
【０００９】
上記課題を解決するために本発明のペーパーホルダーは，切り取り部を有するロール状ペーパーを縦置き状態で回転可能に支持する支持部と，この支持部で支持されたロール状ペーパを引き出すための引き出しスペースと，この引き出しスペースの一部を構成するとともに引き出しスペースから引き出されてロールの巻き方向と反対方向へ方向転換されたペーパーと当接することによりペーパーを前記切り取り部で切断する切断部とを備えたペーパーホルダーであって，
前記支持部は，該支持部で支持されたロール状ペーパーの上面を完全に開放した形状とし，
前記切断部は，前記支持部で支持されたロール状ペーパーの上下方向における中央部分または中央部分近くで前記引き出しスペースを狭めるように該スペースに向けて突出していて前記ペーパーの切り取り部での切断開始部を形成する突出部を有していることを特徴とする。
このペーパーホルダーによれば，支持部におけるロール状ペーパーの上面が完全に開放されているので，支持部へのロール状ペーパーの装着が容易である。
また，前記切断部は，前記支持部で支持されたロール状ペーパーの上下方向における中央部分または中央部分近くで前記引き出しスペースを狭めるように該スペースに向けて突出していて前記ペーパーの切り取り部での切断開始部を形成する突出部を有しているので，ペーパーを指で摘んで引き出しスペースから引き出してロールの巻き方向と反対方向へ方向転換すると，指で摘んでいる部分と前記突出部との間でペーパーに集中的な張力増大部分が形成され，この張力増大部分において前記切り取り部分での切断が開始されることとなる。すなわち切断開始部が形成される。この張力増大部分における切断は前記直線状切り取り部のその直線方向へ連鎖的に広がるから，最終的にペーパーは前記直線状切り取り部で切断されてロールから切り離されることとなる。このような切断作用を生じさせるための操作は，ペーパーを指で摘んで引き出してから方向転換させて前記突出部との間に張力増大部分を形成するだけでよいから，片手だけで容易に行うことができる。
すなわちこの発明のペーパーホルダーによれば，ロール状ペーパーの装着が容易でしかも片手だけでペーパーを切断することができる。
望ましくは，前記切断部を左右一対設けるとともに，前記支持部の左右両側には，ラップを縦置き状態で支持することのできるラップ支持部を一体的に設け，それらラップ支持部の背面にラップ支持部を前記ロール状ペーパーの支持部とともに固定構造体へ取り付ける取付手段を設けた構成とする。
このようにすると，ペーパの引き出しおよび切断を左右どちら側においても行うことができるようになる。また，ロール状ペーパーの両側にラップを縦置きすることができる。
そして，ロール状ペーパーの支持部の両側に位置するラップ支持部の背面に，固定構造体への取付手段を設けたので，ペーパの引き出しおよび切断を左右のどちら側で行う場合でも，左右に位置する取り付け手段の一方にのみ過度に力が作用するという事態を防止することができる。したがって，取り付け手段等を必要以上に強固に構成する必要が無くなり，ペーパーホルダーの軽量化を図ることが可能となる。
さらに望ましくは，前記突出部の先端部分にのみ，ペーパーに対する摩擦係数の高い高摩擦部材を設けた構成とする。
このようにすると，上記張力増大部分が形成されやすくなるので，ペーパーを一層良好に切断することが可能となる。
【図面の簡単な説明】
【００１０】
【図１】本発明に係るペーパーホルダーの一実施の形態を示す図で，（ａ）は平面図，（ｂ）は正面図，（ｃ）は側面図。
【図２】（ａ）は図１（ｂ）におけるＡ−Ａ断面図，（ｂ）は図１（ｂ）におけるＢ−Ｂ断面図，（ｃ）は図１（ｂ）におけるＣ−Ｃ拡大端面図，（ｄ）は突出部の部分省略正面図，（ｅ）はカバー（滑り止め）の正面図。
【図３】（ａ）は上記ペーパーホルダーの背面図，（ｂ）は底面図である。
【図４】（ａ）は使用状態を示す平面図，（ｂ）は同じく正面図。
【図５】（ａ）は使用状態を示す平面図，（ｂ）は同じく正面図。
【図６】（ａ）は使用状態を示す平面図，（ｂ）は同じく正面図。
【図７】使用状態を示す正面図。
【図８】（ａ）（ｂ）はそれぞれ作用を説明するための平面図。
【図９】（ａ）〜（ｅ）はそれぞれ変形例を示す図。
【図１０】変形例を示す正面図。
【発明を実施するための形態】
【００１１】
以下，本発明に係るペーパーホルダーの実施の形態について図面を参照して説明する。
図１〜図３に示すように，このペーパーホルダー１０は，切り取り部Ｐｂ（図５参照）を有するロール状ペーパーＲＰを縦置き状態で回転可能に支持する支持部２０と，この支持部２０で支持されたロール状ペーパーＲＰを引き出すための引き出しスペース２０ｓと，この引き出しスペース２０ｓの一部を構成するとともに引き出しスペース２０ｓから引き出されてロールの巻き方向と反対方向へ方向転換されたペーパーＰ１（図６参照）と当接することによりペーパーＰ１を前記切り取り部Ｐｂで切断する切断部２１とを備えている。
【００１２】
支持部２０は，該支持部２０で支持されたロール状ペーパーＲＰの上面を完全に開放した形状となっている。
切断部２１は，支持部２０で支持されたロール状ペーパーＲＰ（図４参照）の上下方向における中央部分または中央部分近くで引き出しスペース２０ｓを狭めるようにスペース２０ｓに向けて突出していてペーパーの切り取り部Ｐｂでの切断開始部Ｐｂｃ（図６参照）を形成する突出部２２を有している。
【００１３】
この実施の形態では，切断部２１を左右一対設けるとともに，支持部２０の左右両側に，ラップＷを縦置き状態で支持することのできるラップ支持部３０，４０を一体的に設け，それらラップ支持部３０，４０の背面にラップ支持部をロール状ペーパーの支持部２０とともに固定構造体Ｂへ取り付ける取付手段５０，５０を設けてある。
以下，各部について詳しく説明する。
【００１４】
支持部２０および左右のラップ支持部３０，４０は，合成樹脂（例えば，ポリプロピレン，スチロール，ＡＢＳ樹脂，等の熱可塑性樹脂）からなる一体成型品で構成することができる。これら支持部２０および左右のラップ支持部３０，４０は，全体としてみれば上部が開放された一つの箱状体である。
【００１５】
支持部２０は，底板２３と，この底板２３の中央から一体的に上方に向かって伸びていて上方に行くにしたがって小径となる軸２３ｂと，底板２３の左右から起立し，ラップ支持部３０，４０との間を仕切る起立板２４，２４と，これら起立板２４，２４からそれぞれ前方へ円弧状に伸びる半円筒部２５，２５とを有している。
ロール状ペーパーＲＰは，その筒状の中心穴ＲＰｈに支持部２０の軸２３ｂを挿入するようにして，支持部２０上にセットされる。軸２３ｂの外周面には，ロール状ペーパーＲＰの内周面（ＲＰｈ）との接触面積を低減してロール状ペーパーＲＰの回転を円滑にするための，平面視で円弧状のリブ２３ｒが３本設けられている。
【００１６】
左右の半円筒部２５，２５は，平面視で前記軸２３ｂと同心状に形成されている。左右の半円筒部２５，２５の対向縁２５ｂ，２５ｂは，図１（ｂ）に示すように，前方から見て下方に向かって広がるテーパ状に形成されており，これら対向縁２５ｂ，２５ｂの間の空間が，前記引き出しスペース２０ｓを形成している。
対向縁２５ｂ，２５ｂが前方から見て下方に向かって広がるテーパ状に形成されている結果として，対向縁２５ｂと半円筒部２５の上縁２５ｄとで形成される角部２５ｃは，引き出しスペース２０ｓを狭めるようにスペース２０ｓに向けて突出した上記突出部２２の先端部分を形成する。
【００１７】
図２（ｃ）（ｄ）に示すように，突出部２２の先端部分を構成する角部２５ｃは，半円筒部２５の他の部位に比べて扇状の薄肉に形成されており，その扇状薄肉部の中央部に穴２５ｈが設けられている。この薄肉の角部２５ｃに、同じく正面視扇状のカバー２５ｆ（図２（ｅ）参照）が装着されている。カバー２５ｆの奥側の内面には突起２５ｐが設けられており，この突起２５ｐが，上記角部２５ｃの穴２５ｈに嵌り合うことでカバー２５ｆが角部２５ｃを覆うようにして角部２５ｃに装着されている。
カバー２５ｆは，支持部２０本体を形成する合成樹脂に比べて軟質でペーパーに対する摩擦係数の高い高摩擦部材（例えば，天然ゴム，合成ゴム，エラストマー樹脂，ＥＶＡ樹脂等）で構成する。すなわち，この実施の形態では，前記突出部２２の先端部分（２５ｃ）にのみ，ペーパーに対する摩擦係数の高い高摩擦部材（２５ｆ）が設けられている。
【００１８】
図１に示すように，正面視で左側に位置するラップ支持部３０は，右側に位置するラップ支持部４０に比べて幅広に構成されている。ラップ支持部４０が１本のラップＷを保持できるのに対し，ラップ支持部３０は２本のラップＷを保持することができる。３１はそのための仕切板である。
【００１９】
図２，図３に示すように，固定構造体Ｂへ取り付ける取付手段５０，５０は，ラップ支持部３０，４０の背面上部に設けた磁石５１と，ラップ支持部３０，４０の背面下部に設けた吸盤５２とを備えている。
したがってこのペーパーホルダー１０は，その背面上部両端を磁石５１で磁性体からなる壁面を有する固定構造体Ｂ（例えば冷蔵庫等）に固定し，背面下部両端を吸盤５２で吸着可能な壁面を有する固定構造体Ｂ（例えば冷蔵庫等）に固定して使用することができる。
【００２０】
このペーパーホルダー１０を使用するには，上記のようにして，図４（ａ）（ｂ）に示すように固定構造体Ｂに固定し，支持部２０にロール状ペーパーＲＰをセットする。なお，前述したように，突出部２２は，支持部２０で支持されたロール状ペーパーＲＰの上下方向における中央部分または中央部分近くで引き出しスペース２０ｓを狭めるようにスペース２０ｓに向けて突出していればよいが，この実施の形態では，図４（ｂ）に示すように，突出部２２は，支持部２０で支持されたロール状ペーパーＲＰの上下方向における中央部分Ｃよりも多少上方の位置Ｃ２において突出させている。
【００２１】
ペーパーを切り取る際には，図５（ａ）（ｂ）に示すように，ロール状ペーパーＲＰから引き出すペーパーＰ１の先端Ｐ１ｂを摘んでペーパーＰ１の切り取り部Ｐｂが突出部２２，２２間を多少通過するまでペーパーＰ１を引き出す。
その後，ペーパーＰ１の先端Ｐ１ｂを摘んだまま，図６（ａ）（ｂ）に示すように，ロールの巻き方向と反対方向へ方向転換すると，図６（ｂ）に示すように，指で摘んでいる部分Ｐ１ｆと突出部２２との間でペーパーＰ１の上下方向中程に，集中的な張力増大部分Ｔが形成され，この張力増大部分Ｔにおいて前記切り取り部分Ｐｂでの切断Ｐｂｃが開始されることとなる。この上下方向中程において生じた張力増大部分Ｔにおける切断Ｐｂｃは直線状切り取り部Ｐｂのその直線方向（図６（ｂ）において上下方向）へ連鎖的に広がるから，最終的にペーパーＰ１は直線状切り取り部Ｐｂでロール側のペーパーＰ２から切断されてロールから切り離されることとなる。このような切断作用を生じさせるための操作は，ペーパーＰ１を指で摘んで引き出してから方向転換させて突出部２２との間に張力増大部分Ｔを形成するだけでよいから，片手だけで容易に行うことができる。
【００２２】
この実施の形態では，突出部２２は，図４（ｂ）に示すように，支持部２０で支持されたロール状ペーパーＲＰの上下方向における中央部分Ｃよりも多少上方の位置Ｃ２において突出しており，かつその上方は開放されているので，図７に示すように，ペーパーＰ１の先端上部を摘んで引き出した後，方向を転換させながら摘み部Ｐ１ｆを斜め下方に引き下げて，突出部２２がペーパーに対して強く食い込むようにすると，一層良好にペーパーＰ１をロール側のペーパーＰ２から切断することができる。
なお，ペーパーＰ１の引き出し方向および反転方向は，ロール状ペーパーＲＰの天地を逆にセットした場合には，逆になり，ペーパーを当接させる突出部２２も左右逆になる（図５，図６，図７に示した状態と左右対称状態となる）。
【００２３】
この実施の形態のペーパーホルダー１０によれば，次のような作用効果が得られる。
（ａ）支持部２０におけるロール状ペーパーＲＰの上面が完全に開放されているので，支持部２０へのロール状ペーパーの装着が容易である。
また，切断部２１は，支持部２０で支持されたロール状ペーパーＲＰの上下方向における中央部分または中央部分近くで引き出しスペース２０ｓを狭めるように該スペース２０ｓに向けて突出していてペーパーの切り取り部ＰＢでの切断開始部を形成する突出部２２を有しているので，ペーパーＰ１を指で摘んで引き出しスペース２０ｓから引き出してロールの巻き方向と反対方向へ方向転換すると，指で摘んでいる部分Ｐ１ｆと突出部２２との間でペーパーに集中的な張力増大部分Ｔが形成され，この張力増大部分Ｔにおいて切り取り部分Ｐｂでの切断が開始されることとなる。すなわち切断開始部が形成される。この張力増大部分Ｔにおける切断は直線状切り取り部Ｐｂのその直線方向へ連鎖的に広がるから，最終的にペーパーＰ１は直線状切り取り部Ｐｂで切断されてロールから切り離されることとなる。このような切断作用を生じさせるための操作は，ペーパーを指で摘んで引き出してから方向転換させて突出部２２との間に張力増大部分Ｔを形成するだけでよいから，片手だけで容易に行うことができる。
すなわちこのペーパーホルダー１０によれば，ロール状ペーパーの装着が容易でしかも片手だけでペーパーを切断することができる。
【００２４】
（ｂ）切断部２１を左右一対設けるとともに，支持部１０の左右両側には，ラップを縦置き状態で支持することのできるラップ支持部３０，４０を一体的に設け，それらラップ支持部３０，４０の背面にラップ支持部３０，４０をロール状ペーパーの支持部２０とともに固定構造体Ｂへ取り付ける取付手段５０，５０を設けたので，ペーパーＰ１の引き出しおよび切断を左右どちら側においても行うことができるようになる。また，ロール状ペーパーＲＰの両側にラップＷを縦置きすることができる。
そして，ロール状ペーパーの支持部２０の両側に位置するラップ支持部３０，４０の背面に，固定構造体Ｂへの取付手段５０，５０を設けたので，ペーパーＰ１の引き出しおよび切断を左右のどちら側で行う場合でも，左右に位置する取り付け手段５０，５０の一方にのみ過度に力が作用するという事態を防止することができる。
【００２５】
この点について図８（ａ）（ｂ）を参照して説明する。
図８（ａ）に示すように，平面視で左方にペーパーＰ１を引き出して切断する場合，ペーパーホルダー１０にはペーパーＰ１に生じる張力Ｔ１に起因するモーメントＭおよび，そのモーメント成分に関する反力Ｒ１，Ｒ２が作用する。
また，図８（ｂ）に示すように，平面視で右方にペーパーＰ１を引き出して切断する場合，ペーパーホルダー１０にはペーパーＰ１に生じる張力Ｔ１に起因するモーメントＭ’および，そのモーメント成分に関する反力Ｒ１’，Ｒ２’が作用する。
図８（ａ）（ｂ）を比較すれば分かるように，図８（ａ）の場合の張力Ｔ１の作用点である突出部２２から反力Ｒ１，Ｒ２の作用点までの距離と，図８（ｂ）の場合の張力Ｔ１の作用点である突出部２２から反力Ｒ１’，Ｒ２’の作用点までの距離とが大きくは異ならないことから，ペーパーＰ１の引き出しおよび切断を左右のどちら側で行う場合でも，左右に位置する取り付け手段５０，５０の一方にのみ過度に力が作用するという事態を防止することができる。
【００２６】
これに対し，例えば図８（ａ）においてラップ支持部４０を設けることなく仮想線５０’で示す位置に取付手段を設けた場合の反力Ｒ１’’は上記反力Ｒ１に比べて大きくなる。また，図８（ｂ）においてラップ支持部３０を設けることなく仮想線５０’’で示す位置に取付手段を設けた場合の反力Ｒ２’’は上記反力Ｒ２’に比べて大きくなる。なお，ラップ支持部３０，４０を両方とも設けずに支持部２０の背部に取付手段５０’，５０’’を設けた場合，上記モーメントＭ（Ｍ’）成分に関する反力はいずれも大きなものとなる。
以上から明らかなように，この実施の形態のペーパーホルダー１０によれば，左右に位置する取り付け手段５０，５０の一方にのみ過度に力が作用するという事態を防止することができることとなる。
したがって，取り付け手段５０等を必要以上に強固に構成する必要が無くなり，ペーパーホルダー１０の軽量化を図ることが可能となる。
【００２７】
（ｃ）このペーパーホルダー１０によると，突出部２２の先端部分にのみ，ペーパーに対する摩擦係数の高い高摩擦部材２５ｆを設けたので，上記張力増大部分Ｔが形成されやすくなり，ペーパーを一層良好に切断することが可能となる。
【００２８】
＜変形例＞
図９（ａ）〜（ｅ）はそれぞれ突出部２２の変形例を示す図で，（ａ）（ｂ）（ｃ）はそれぞれ正面図，（ｄ）（ｅ）はそれぞれ図１（ｂ）のC−C端面に相当する図である。
突出部２２は，図９（ａ）または（ｂ）に示すように，先鋭部２２ｂを設けてペーパーが掛かりやすくすることができる。また，図９（ｃ）に示すようにギザ形状２２ｃにしてペーパーが掛かりやすくすることができる。また，図９（ｄ）に示すように断面先端形状を鋭利にしてペーパーが掛かりやすくすることができる。また，図９（ｅ）に示すように断面先端形状を凹凸にしてペーパーが掛かりやすくすることができる。
【００２９】
以上，本発明の実施の形態および変形例について説明したが，本発明は上記の実施の形態および変形例に限定されるものではなく，本発明の要旨の範囲内において適宜変形実施可能である。
例えば，ラップ支持部３０，４０は必ずしも設ける必要はなく，支持部２０のみでペーパーホルダーを構成することができる。取付手段５０はペーパーホルダーの背面にではなく底面に設けることもできる。取付手段５０自体を設けない構成とすることもできる。その場合，ペーパーホルダーの自重を大きくして片手でのペーパーの引き裂きを可能とするだけの重量とする。図１０に示すように，切断部２１は上方にも設け，対向縁２５ｂでペーパーの切断を補助する構成とすることもできる。
【符号の説明】
【００３０】
Ｐｂ    切り取り部
ＲＰ    ロール状ペーパー
１０    ペーパーホルダー
２０    支持部
２０ｓ  引き出しスペース
２１    切断部
２２    突出部
３０，４０  ラップ支持部
５０    取付手段
【図１】
2011050556.tif 000003
【図２】
2011050556.tif 000004
【図３】
2011050556.tif 000005
【図４】
2011050556.tif 000006
【図５】
2011050556.tif 000007
【図６】
2011050556.tif 000008
【図７】
2011050556.tif 000009
【図８】
2011050556.tif 000010
【図９】
2011050556.tif 000011
【図１０】
2011050556.tif 000012